(57)【要約】【課題】ユーザが選曲しようとしている楽曲がユーザ本人の歌唱能力から適切であるか否かを事前に評価すること。【解決手段】楽曲データに含まれる歌唱パートの特徴点と、ユーザの歌唱能力評価結果に含まれる特徴点とを比較分析し、その選曲された楽曲がユーザに適している度合いを示す情報を比較分析結果として出力する。そして、比較分析結果を表示した後に、楽曲の予約を確定するための予約確定入力を受け付ける。【選択図】図６
2011175179.tif 000002
【特許請求の範囲】
【請求項１】
ユーザによる選曲入力を受け付ける選曲入力受付手段と、
前記選曲入力に関わる情報を表示する表示手段と、
前記選曲入力受付手段が選曲入力を受け付けた楽曲の楽曲データを、楽曲データを記憶する楽曲データ記憶手段から取得する楽曲データ取得手段と、
前記楽曲データ取得手段が取得した楽曲データに基づいてカラオケ演奏を行うカラオケ演奏手段と、
を備えるカラオケ装置であって、
前記楽曲データには歌唱パートの特徴点を示す情報が含まれ、
さらに、
前記ユーザによる歌唱に基づき前記ユーザの歌唱能力を評価した結果であり歌唱の特徴点を示す情報が含まれる歌唱能力評価結果を、前記歌唱能力評価結果を記憶する評価結果記憶手段から取得する評価結果取得手段と、
前記楽曲データ取得手段が取得した楽曲データに含まれる歌唱パートの特徴点と、前記評価結果取得手段が取得した前記ユーザの歌唱能力評価結果に含まれる特徴点とを比較分析し、その選曲された楽曲が前記ユーザに適している度合いを示す情報を比較分析結果として出力する比較分析処理を実行する比較分析手段と、
前記比較分析手段によって出力された比較分析結果を前記表示手段に表示させ、前記表示手段によって比較分析結果が表示された後に、楽曲の予約を確定するための予約確定入力を受け付ける予約確定受付手段と、
を備え、
前記比較分析手段は、前記予約確定受付手段が予約確定入力を受け付けるまでの間は、前記選曲入力受付手段が前記選曲入力を受け付ける度に、前記選曲入力受付手段が選曲入力を受け付けた楽曲に関して前記比較分析処理を実行し、
前記楽曲データ取得手段は、前記予約確定受付手段が予約確定入力を受け付けた楽曲の楽曲データを前記楽曲データ記憶手段から取得し、
前記カラオケ演奏手段は、前記楽曲データ取得手段が取得した楽曲データに基づいてカラオケ演奏を行うこと
を特徴とするカラオケ装置。
【請求項２】
請求項１に記載のカラオケ装置において、
さらに、
ユーザによるキーワード入力を受け付けるキーワード入力受付手段と、
前記キーワード入力受付手段がキーワード入力を受け付けたキーワードに該当する楽曲群に関する情報である楽曲群情報を、前記楽曲データ記憶手段から取得するキーワード検索手段と、
前記キーワード検索手段が取得した楽曲群情報を、含まれる楽曲群のうちの何れかの楽曲を前記選曲入力受付手段によって選択可能に提示する楽曲群情報提示手段と、
を備え、
前記選曲入力受付手段は、前記楽曲群情報提示手段に提示された楽曲群情報のうちの何れかの楽曲が選択された場合に、その選択をユーザによる選曲入力として受け付け、
前記比較分析手段は、前記キーワード入力受付手段がキーワード入力を受け付けたキーワードに該当する楽曲群に含まれる楽曲について、当該楽曲の楽曲データに含まれる歌唱パートの特徴点と、前記評価結果取得手段が取得した前記ユーザの歌唱能力評価結果に含まれる特徴点とを比較分析し、その選曲された楽曲が前記ユーザに適している度合いを示す情報を比較分析結果として出力し、
前記予約確定受付手段は、前記比較分析手段による比較分析結果に基づき、ユーザが選択した楽曲がユーザに適しているか否かを判断し、ユーザが選択した楽曲がユーザに適していないと判断する場合には、前記比較分析手段によって出力された比較分析結果を前記表示手段に表示させ、一方、ユーザが選択した楽曲がユーザに適していると判断する場合には、前記比較分析手段によって出力された比較分析結果を前記表示手段に表示させないこと
を特徴とするカラオケ装置。
【発明の詳細な説明】
【技術分野】
【０００１】
本発明は、ユーザが選曲しようとしている楽曲がユーザ本人の歌唱能力から適切であるか否かを事前に評価する技術に関する。
【背景技術】
【０００２】
従来より、ユーザによって選択された楽曲に対応する楽曲データに基づいてカラオケ演奏を行うとともに、ユーザによる歌唱を採点評価するカラオケ装置が知られている。
また、上述のようなカラオケ装置の中には、ユーザの声紋に基づいて選曲を支援するカラオケ装置がある（例えば、特許文献１参照。）。
【０００３】
具体的には、ユーザが音声入力による選曲を選択すると、ユーザの音声を音声信号に変換し、その音声信号を声紋分析して音域、声質、性別、年齢のパラメータ群を特徴点データとして出力する。そして、特徴点データと類似する楽曲群を抽出して、各楽曲の楽曲ＩＤ、曲名、歌手名、年齢、性別、ジャンル、リリース年といった楽曲に関する情報をユーザに提示する。ユーザによる選曲入力を受け付けたら、選択された楽曲のカラオケ楽曲を取得してカラオケ演奏を行う。このとき、ユーザによる歌唱を採点して、採点結果を表示する。つまり、特許文献１の技術では、ユーザが選択した楽曲のカラオケ演奏に合わせて行われたユーザによる歌唱に基づきユーザの歌唱能力を評価している。
【先行技術文献】
【特許文献】
【０００４】
【特許文献１】特開２００７−３８９７号公報（第５，６頁、図３）
【発明の概要】
【発明が解決しようとする課題】
【０００５】
しかし、特許文献１に記載の技術では、ユーザが選曲した楽曲がユーザ本人の歌唱能力から適切であるか否かを事前に知ることができないという問題があった。
本発明は、このような課題に鑑みなされたものであり、その目的とするところは、ユーザが選曲しようとしている楽曲がユーザ本人の歌唱能力から適切であるか否かを事前に評価する技術を提供することにある。
【課題を解決するための手段】
【０００６】
上記課題を解決するためになされた請求項１に係るカラオケ装置は、ユーザによる選曲入力が行われた段階で、過去にユーザの歌唱から抽出しておいた特徴点と、選曲入力された楽曲の歌唱パートの特徴点とを比較分析することで、選曲された楽曲がユーザ本人の歌唱能力から適切であるか否かを事前に評価し、評価結果をユーザに知らせることを特徴とする。
【０００７】
具体的には、請求項１に係るカラオケ装置においては、選曲入力受付手段が、ユーザによる選曲入力を受け付け、表示手段が、選曲入力に関わる情報を表示し、楽曲データ取得手段が、選曲入力受付手段が選曲入力を受け付けた楽曲の楽曲データを、楽曲データを記憶する楽曲データ記憶手段から取得する。
【０００８】
なお、楽曲データ記憶手段は、カラオケ装置に内蔵されてもよいし、カラオケ装置とデータ通信可能な外部のセンタが備えるようにしてもよい。また、楽曲データには歌唱パートの特徴点を示す情報が含まれている。
【０００９】
また、評価結果取得手段が、ユーザによる歌唱に基づきユーザの歌唱能力を評価した結果であり歌唱の特徴点を示す情報が含まれる歌唱能力評価結果を、歌唱能力評価結果を記憶する評価結果記憶手段から取得する。
【００１０】
なお、評価結果記憶手段についても楽曲データ記憶手段と同様に、カラオケ装置に内蔵されてもよいし、カラオケ装置とデータ通信可能な外部のセンタが備えるようにしてもよい。
【００１１】
さらに、比較分析手段が、楽曲データ取得手段が取得した楽曲データに含まれる歌唱パートの特徴点と、評価結果取得手段が取得したユーザの歌唱能力評価結果に含まれる特徴点とを比較分析し、その選曲された楽曲がユーザに適している度合いを示す情報を比較分析結果として出力する比較分析処理を実行する。
【００１２】
また、予約確定受付手段が、比較分析手段によって出力された比較分析結果を表示手段に表示させ、表示手段によって比較分析結果が表示された後に、楽曲の予約を確定するための予約確定入力を受け付ける。
【００１３】
なお、比較分析手段は、予約確定受付手段が予約確定入力を受け付けるまでの間は、選曲入力受付手段が選曲入力を受け付ける度に、選曲入力受付手段が選曲入力を受け付けた楽曲に関して前記比較分析処理を実行する。
【００１４】
そして、楽曲データ取得手段が、予約確定受付手段が予約確定入力を受け付けた楽曲の楽曲データを楽曲データ記憶手段から取得し、カラオケ演奏手段が、楽曲データ取得手段が取得した楽曲データに基づいてカラオケ演奏を行う。
【００１５】
このように構成された本発明のカラオケ装置によれば、ユーザが選曲しようとしている楽曲がユーザ本人の歌唱能力から適切であるか否かを事前に評価し、評価結果をユーザに知らせることができる。
【００１６】
ところで、ユーザ本人の歌唱能力から適切であるか否かを事前に知っておきたい楽曲名が思い浮かばないことがある。このようなときには、キーワード検索を行って楽曲群をユーザに選択可能に提示することが考えられる。
【００１７】
具体的には、請求項２のように、キーワード入力受付手段がユーザによるキーワード入力を受け付け、キーワード検索手段が、キーワード入力受付手段がキーワード入力を受け付けたキーワードに該当する楽曲群に関する情報である楽曲群情報を、楽曲データ記憶手段から取得する。なお、キーワードとしては、歌手名などの文字列が挙げられる。
【００１８】
そして、楽曲群情報提示手段が、キーワード検索手段が取得した楽曲群情報を、含まれる楽曲群のうちの何れかの楽曲を選曲入力受付手段によって選択可能に提示する。
さらに、選曲入力受付手段が、楽曲群情報提示手段に提示された楽曲群情報のうちの何れかの楽曲が選択された場合に、その選択をユーザによる選曲入力として受け付ける。
【００１９】
また、比較分析手段が、キーワード入力受付手段がキーワード入力を受け付けたキーワードに該当する楽曲群に含まれる楽曲について、当該楽曲の楽曲データに含まれる歌唱パートの特徴点と、評価結果取得手段が取得したユーザの歌唱能力評価結果に含まれる特徴点とを比較分析し、その選曲された楽曲がユーザに適している度合いを示す情報を比較分析結果として出力する。
【００２０】
そして、予約確定受付手段が、比較分析手段による比較分析結果に基づき、ユーザが選択した楽曲がユーザに適しているか否かを判断し、ユーザが選択した楽曲がユーザに適していないと判断する場合には、比較分析手段によって出力された比較分析結果を表示手段に表示させ、一方、ユーザが選択した楽曲がユーザに適していると判断する場合には、比較分析手段によって出力された比較分析結果を表示手段に表示させないようにする。
【００２１】
このように構成すれば、ユーザ本人の歌唱能力から適切であるか否かを事前に知っておきたい楽曲名が思い浮かばないときでも、ユーザが好むと予想される楽曲群を提示することができ、ユーザによる適切な選曲入力を助けることができる。
【図面の簡単な説明】
【００２２】
【図１】（ａ）カラオケ装置の概略構成を示すブロック図、（ｂ）歌唱能力データテーブル、（ｃ）曲データテーブル
【図２】カラオケ装置が実行する予約処理を示すフローチャート
【図３】予約処理を説明する説明図（１）
【図４】予約処理を説明する説明図（２）
【図５】予約処理を説明する説明図（３）
【図６】予約処理を説明する説明図（４）
【発明を実施するための形態】
【００２３】
以下に本発明の実施形態を図面とともに説明する。なお、本発明は本実施形態に限定されるものではなく、様々な態様にて実施することが可能である。
図１に示すカラオケ装置１０は、カラオケルームなどに設置され、カラオケ楽曲を含むコンテンツを再生する機能などを有する。また、カラオケ装置１０は、楽曲データなどの各種コンテンツデータをカラオケ装置１０に配信する外部のアプリケーションサーバ（図示省略、以下サーバ）とインターネットを介してデータの送受信が可能に接続されている。なお、インターネットとＬＡＮとは図示しないルータで接続されている。また、ＬＡＮは有線方式であっても無線方式であってもよい。
【００２４】
［１．カラオケ装置１０の構成の説明］
次に、カラオケ装置１０の構成を説明する。
図１に示すように、カラオケ装置１０は、複数のキー・スイッチなどからなる操作部１１，装置全体を制御する制御部１２，楽曲データの再生（カラオケ演奏）を行う楽曲再生部１３，インターネットを介した通信を制御する通信部１４，演奏楽曲の伴奏内容および歌詞を示す楽曲データなどを記憶するＨＤＤ１５，歌詞データなどを含む各種映像の表示を行う表示部１６，マイク１７からの音声の入力とスピーカ１８からの音声の出力とを制御する音声入出力部１９などを備える。
【００２５】
なお、楽曲データにはＭＩＤＩデータおよび歌詞データが含まれている。また、歌詞データは、ＭＩＤＩデータをカラオケ演奏する際に歌詞テロップを表示するためのデータである。
【００２６】
また、楽曲データには音量を示す情報および音域を示す情報が対応付けられており、曲データテーブルとしてＨＤＤ１５に記憶されている（図１（ｃ）参照）。なお、音量を示す情報および音域を示す情報が特許請求の範囲の「歌詞パートの特徴点」に該当する。
【００２７】
また、制御部１２は、カラオケ楽曲を予約する予約処理や、カラオケ楽曲を含むコンテンツを再生する演奏処理などの各種処理を実行する。
［２．カラオケ装置１０の各構成と特許請求の範囲との対応関係］
次に、カラオケ装置１０の各構成と特許請求の範囲との対応関係について説明する。すなわち、操作部１１が、選曲入力受付手段およびキーワード入力受付手段に該当する。また、制御部１２が、楽曲データ取得手段、評価結果取得手段、比較分析手段、予約確定受付手段およびキーワード検索手段に該当する。また、制御部が、表示部１６とともに楽曲群情報提示手段に該当する。また、楽曲再生部１３が、カラオケ演奏手段に該当する。また、表示部１６が表示手段に該当する。
【００２８】
［３．カラオケ装置１０の予約処理の説明］
次に、カラオケ装置１０の制御部１２が実行する予約処理を、図２のフローチャートおよび図３〜６を参照して説明する。
【００２９】
本処理はカラオケ装置１０の電源状態がオンである場合に繰り返し実行される。
まず、最初のステップＳ１０５では、ユーザによる操作部１１へのログイン入力を受け付けたら、ユーザＩＤ「Ａ」でログイン処理を実行する。
【００３０】
続くＳ１１０では、ログイン中のＡさんの歌唱能力情報を外部のサーバからインターネットを介して取得する。
なお、歌唱能力情報とは、ユーザによる歌唱に基づきユーザの歌唱能力を評価した結果であり歌唱の特徴点を示す情報が含まれる情報である。具体的には、歌唱能力情報は、ユーザＩＤ、音量を示す情報および音域を示す情報から構成されている（図１（ｂ）参照）。なお、歌唱能力情報は特許請求の範囲の歌唱能力評価結果に該当し、音量を示す情報および音域を示す情報が特許請求の範囲の「特徴点」に該当する。また、本実施形態では、サーバが特許請求の範囲の評価結果記憶手段に該当する。なお、カラオケ装置１０のＨＤＤ１５が歌唱能力情報を記憶するようにしてもよく、この場合には、ＨＤＤ１５が特許請求の範囲の評価結果記憶手段に該当する。
【００３１】
続くＳ１１５では、ユーザによる操作部１１への選曲方法の選択入力を受け付ける(図３参照)。なお、選曲方法とは、カラオケ演奏および歌唱を行う楽曲を選曲する方法を云う。
【００３２】
続くＳ１２０では、選曲方法としてキーワード検索が選択されたか否かを判断する。
選曲方法としてキーワード検索が選択されたと判断する場合には（Ｓ１２０：ＹＥＳ）、後述するＳ１３０に移行する。一方、選曲方法としてキーワード検索が選択されなかったと判断する場合には（Ｓ１２０：ＮＯ）、歌手名検索が選択されたと判断し（Ｓ１２５）、後述するＳ１３５に移行する。
【００３３】
キーワード検索が選択された場合には、Ｓ１３０において、ユーザによって操作部１１へ入力されたキーワードを用いて全曲リストから当該キーワードを含む楽曲を抽出する。  一方、歌手名検索が選択された場合には、Ｓ１３５において、ユーザによって操作部１１へ入力された歌手名を用いて全曲リストから当該歌手名を含む楽曲を抽出する(図４参照)。Ｓ１３０およびＳ１３５に示す検索処理を実行したらＳ１４０に移行する。
【００３４】
Ｓ１４０では、Ｓ１３０およびＳ１３５に示す検索処理で抽出された楽曲（抽出範囲）を表示部１６に表示させ、表示部１６に表示された抽出範囲から曲名を選択する選択入力（タッチ予約）を受け付ける。
【００３５】
続くＳ１４５では、Ａさんの歌唱能力と曲名の歌唱情報とを比較する。具体的には、Ｓ１１０で取得したＡさんの歌唱能力情報に含まれる特徴点と、Ｓ１４０で選択された楽曲の楽曲データに含まれる歌唱パートの特徴点とを比較分析し、その選曲された楽曲がＡさんに適している度合いを示す情報を比較分析結果として出力する。なお、選択された楽曲に関する上記比較分析結果については、表示部１６に表示される(図５参照)。なお、本実施形態では、比較分析結果が良い場合から順に「Ａ、Ｂ、Ｃ」といった具合に表示するようにしている。さらに、表示部１６に表示された抽出範囲に含まれる他の楽曲についても、同様の手法で、Ａさんの歌唱能力と曲名の歌唱情報とを比較する。なお、本実施形態では、音量を示す情報および音域を示す情報を特徴点として比較分析を行っているが、その他にも声質や性別、年齢などのパラメータ群を特徴点としてもよい。
【００３６】
続くＳ１５０では、選曲した曲名が最も適していないか否かを判断する。具体的には、Ｓ１４０で選択された楽曲に関する上記比較分析結果が、抽出範囲に含まれる他の楽曲に関する上記比較分析結果の中で最も低い評価である場合には、ユーザが選択した楽曲がユーザに適していないと判断して肯定判断を行い、それ以外の場合には、ユーザが選択した楽曲がユーザに適していると判断して否定判断を行う。肯定判断の場合には（Ｓ１５０：ＹＥＳ）、Ａさんにとってさらに適した楽曲を提示するため、Ｓ１５５に移行する。一方、否定判断の場合には（Ｓ１５０：ＮＯ）、選曲された曲名が最も適していないわけではないため、Ａさんが好む曲名をそのまま選択してもらうのが良いと判断し、Ｓ１６０に移行する。
【００３７】
Ｓ１５５では、選曲した楽曲よりも適している曲名リストをユーザに提示する（Ｓ１５５、図５参照）。そして、後述するＳ１６５に移行する。
Ｓ１６０では、選曲した楽曲よりも適している楽曲をユーザに提示しないことに決定する。例えば、図６に例示するように選曲した楽曲よりも適している楽曲を表示部１１から消去することや、選曲した楽曲よりも適している楽曲をタッチ選択できないようにすることなどが挙げられる。そして、後述するＳ１７５に移行する。
【００３８】
Ｓ１６５では、提示した曲名リストからタッチ選択されたか否かを判断する。提示した曲名リストからタッチ選択されたと判断する場合には（Ｓ１６５：ＹＥＳ）、後述するＳ１７０に移行する。一方、提示した曲名リストからタッチ選択されていないと判断する場合には（Ｓ１６５：ＮＯ）、後述するＳ１７５に移行する。
【００３９】
Ｓ１７０では、選曲名を入れ替える。具体的には、Ｓ１４０で選択された楽曲の表示をＳ１６５にて選択された曲名の表示に切り替える。そして、Ｓ１４５に戻る。
Ｓ１７５では、選曲確定（予約の確定）がタッチ選択されたか否かを判断する。選曲確定がタッチ選択されていないと判断する場合には（Ｓ１７５：ＮＯ）、選曲確定がタッチ選択されるまで当該Ｓ１７５の処理を繰り返し実行することで待機する。一方、選曲確定がタッチ選択されたと判断する場合には（Ｓ１７５：ＹＥＳ）、後述するＳ１８０に移行する。
【００４０】
Ｓ１８０では、Ｓ１７５にてタッチ選択された曲名に予約曲名を確定し、演奏処理を実行する。なお、演奏処理については公知技術に従うので、ここではその詳細な説明は省略する。
【００４１】
続くＳ１８５では、演奏処理の実行時にマイク１７から入力されるＡさんの歌唱を分析する歌唱能力特定処理を実行する。
続くＳ１９０では、演奏処理が終了したか否かを判断する。演奏処理が終了していないと判断する場合には（Ｓ１９０：ＮＯ）、Ｓ１８０に戻る。一方、演奏処理が終了したと判断する場合には（Ｓ１９０：ＹＥＳ）、後述するＳ１９５に移行する。
【００４２】
Ｓ１９５では、Ｓ１８５で行った歌唱能力特定処理によって分析されたＡさんの歌唱能力を示す歌唱能力情報をセンタに送信する。なお、カラオケ装置１０のＨＤＤ１５が歌唱能力情報を記憶するようになっている場合には、歌唱能力情報をＨＤＤ１５に送信して記憶させる。そして、Ｓ２００に移行する。
【００４３】
Ｓ２００では、Ａさんがログアウトしたか否かを判断する。Ａさんがログアウトしておらずログイン中であると判断する場合には（Ｓ２００：ＮＯ）、引き続きＡさんの選曲を受け付けるため、Ｓ１１５に戻る。一方、Ａさんがログアウトしたと判断する場合には（Ｓ２００：ＹＥＳ）、本処理を終了する。
【００４４】
［４．実施形態の効果］
（１）このように本実施形態のカラオケ装置１０によれば、ユーザが選曲しようとしている楽曲がユーザ本人の歌唱能力から適切であるか否かを事前に評価し、評価結果をユーザに知らせることができる。
【００４５】
（２）また、本実施形態のカラオケ装置１０によれば、ユーザ本人の歌唱能力から適切であるか否かを事前に知っておきたい楽曲名が思い浮かばないときでも、ユーザが好むと予想される楽曲群を提示することができ、ユーザによる適切な選曲入力を助けることができる。
【符号の説明】
【００４６】
１０…カラオケ装置、１１…操作部、１２…制御部、１３…楽曲再生部、１４…通信部、１５…ＨＤＤ、１６…表示部、１７…マイク、１８…スピーカ、１９…音声入出力部
【図２】
2011175179.tif 000003
【図３】
2011175179.tif 000004
【図１】
2011175179.tif 000005
【図４】
2011175179.tif 000006
【図５】
2011175179.tif 000007
【図６】
2011175179.tif 000008